(57)【特許請求の範囲】
【請求項１】
燃焼用のバーナが内蔵された燃焼ケースと、送風機と、温度検出手段と、前記温度検出手段が検出した温度によって送風機の運転を制御可能な制御装置とを有し、
前記送風機は、前記バーナの燃焼停止後に温度制御運転を実行するものであって、
前記温度検出手段は、バーナの燃焼終了時又は燃焼終了時近傍の時刻において燃焼ケース又は燃焼ケース付近の温度を終了時温度として取得し、
取得した終了時温度に基づいて温度制御運転における送風機の回転速度を切り替えるものであり、
前記温度制御運転には、第２温度制御運転が含まれ、前記第２温度制御運転は、バーナの燃焼停止直後から実行され、前記温度検出手段が所定の間欠運転開始温度を検知したことを条件として実行され、送風機が起動と停止を繰り返し、送風機が起動している際には送風機が低速回転される間欠運転を実施することを特徴とする温風暖房装置。
【請求項２】
前記温度制御運転には、第１温度制御運転が含まれ、第１温度制御運転は、バーナの燃焼停止直後から実行され、第１温度制御運転が実行されている期間中に前記温度検出手段が所定の冷却運転開始温度を検知したことを条件として冷却運転が実行され、冷却運転を実行する際の送風機の回転数には少なくとも中速回転と高速回転の二段階があり、前記終了時温度が予め定められた基準温度以上である場合には冷却運転を実行する際の送風機が高速回転され、前記終了時温度が前記基準温度より低い場合には冷却運転を実行する際の送風機が中速回転されることを特徴とする請求項１に記載の温風暖房装置。
【請求項３】
第１温度制御運転が実行されている期間中であって、冷却運転が実行されていない場合は、送風機が低速回転される微風運転を実施することを特徴とする請求項２に記載の温風暖房装置。
【請求項４】
室内温度が摂氏２２度の環境で温風暖房機が定常状態となった後に第１温度制御運転が実行された場合、平均吹出し風速１．２ｍ／ｓの状態において、温風暖房装置から排出される送風の温度は常に摂氏２５度以上となることを特徴とする請求項２又は３に記載の温風暖房装置。
【発明の詳細な説明】
【技術分野】
【０００１】
本発明は、温風によって暖房を行う温風暖房装置に関するものであり、特にバーナを内蔵した燃焼式の温風暖房装置に関するものである。
【背景技術】
【０００２】
従来、筐体内にバーナと送風機を内蔵し、バーナで火炎を発生させ、火炎発生時に生成される燃焼ガスを大量の空気で希釈して筐体の外部に放出する構造の温風暖房装置が知られている。
【０００３】
このような温風暖房装置には、室温を検出する室温検出手段を有し、室温検出手段が取得した温度によってバーナの燃焼状態と非燃焼状態とを切り替え可能な温風暖房装置がある。このような温風暖房装置では、例えば、運転時において、検出された室温が規定された値を上回った場合にバーナの燃焼を一時的に停止し、検出された室温が既定された値を下回った場合にバーナの燃焼を再開させている。このような制御を行うことにより、温風暖房装置による室内温度の過度な昇温や、燃焼停止状態が長期化することによる室内温度の過度な降温を防止し、室内温度を所定温度に維持することができる。
【０００４】
ここで、このような温風暖房装置では、バーナの非燃焼状態においても送風機を運転する場合がある。例えば、室温検出手段の温度の検出精度を維持するために送風機の運転を実施している。またさらに、筺体内に残留した燃焼ガスを外部へと排出する、所謂ポストパージを実施する場合に送風機の運転を実施している。
【０００５】
前者につき、具体的に説明すると、温風暖房装置においてバーナの停止時に送風機の運転を停止すると、燃焼ケース等の残熱によって室温検出手段が室温を誤検出してしまうおそれがある。そこでこの問題を防止するため、バーナが停止中であっても送風機を運転し、筺体内又は筺体近傍に空気の循環流を形成すると共に、形成した空気の流れの雰囲気中に室温検出手段を配する。この種の温風暖房装置では、残熱等による室温検出手段の取得温度のバラツキを防止でき、室温を正確に取得できるという利点がある。
【０００６】
しかしながら、このようにバーナの停止中に送風機を運転すると、使用者が冷風によって冷たさを感じてしまうという問題がある。即ち、バーナが停止しているときに送風機を運転することにより、温風暖房装置から排出された冷たい空気が使用者に当たってしまい、使用者が不快感を催してしまうという問題である。
【０００７】
このような問題を解決する技術として特許文献１に開示された技術がある。特許文献１に開示された温風暖房装置（温風暖房機）では、第１送風機と第２送風機の２つの送風機を備え、燃焼停止時に第１送風機が停止したとき第２の送風機を運転させることにより常時空気の循環流を形成している。そして形成した空気の循環流を室温検出手段へ常に流すことにより、室温検出手段が適切に室温を読み取り可能な構成としている。加えて、特許文献１に開示された温風暖房装置では、第２送風機の吹き出し方向をケースの上方とする構成としている。このことにより、第１送風機と第２送風機の吹き出し方向を異ならしめ、第２送風機によって排出される冷たい空気が使用者に当たらない構成としている。
【先行技術文献】
【特許文献】
【０００８】
【特許文献１】特開２００７−１６３０６０号公報
【発明の概要】
【発明が解決しようとする課題】
【０００９】
しかしながら、特許文献１に開示されている温風暖房装置では、送風機及び吹き出し口を複数設けねばならず、設計上の制限が大きくなってしまうという問題があった。
【００１０】
そこで、燃焼停止時の空気循環用に別途送風機や吹き出し口を設けることなく、使用者に冷風による冷たさを感じさせない温風暖房装置として、燃焼停止中において燃焼中よりも低い回転速度で送風機を運転する温風暖房装置が考えられる。具体的に説明すると、このような温風暖房装置では燃焼停止中であっても送風機が運転されるので、空気の循環流が常に形成される。そのため、室温検出手段による室温の誤検出が防止される。さらにまた、燃焼停止中の送風機の回転速度が低いことにより、燃焼停止中の空気の吹き出しが弱くなる。そのため、燃焼停止中に吹き出された温度の低い空気が使用者に当たっても、使用者が冷たさを強く感じることがない。
【００１１】
ところがこのような運転を行う温風暖房装置では、最低回転速度が十分に低い送風機が必要になるという制限がある。即ち、最低回転速度が比較的高い送風機を採用して上記運転を実施すると、燃焼停止中に送風機の回転速度を十分に下げることができず、空気の吹き出しを十分に弱くすることができない。すると、上記したように、強く吹き出された冷たい空気が使用者に当たってしまうおそれがある。したがって、このような温風暖房装置では、最低回転速度が十分に低い送風機を採用し、吹き出される空気を十分に弱くする必要がある。
【００１２】
またさらに、このように一律に送風機の回転速度を低下させてしまうと、温風暖房装置の内部が相当に昇温されてしまうおそれがある。具体的に説明すると、温風暖房装置を使用する時、温風暖房装置を壁等の近くに配置する、吸気口のフィルターが埃でつまる、排気口の前に何かものが設置される等の理由によって、温風暖房装置の吸気口又は排気口の大部分が実質的に閉塞されてしまうことがある。このような状態では、送風機にかかる背圧等が変化するため、燃焼ケースを通過する実質的な風量が変化する。このことにより、吸気口及び排気口が開放された状態で使用した場合に比べ、温風暖房装置の内部が高温になってしまうことがある。このような場合、燃焼停止後においても温風暖房装置の内部は高温を維持した状態となる。ここで、燃焼停止後に送風機の運転するとき、仮に送風機の回転速度が速いと、送風機から強く空気が吹き出され、強く吹き出された空気によって温風暖房装置の内部を冷却することができる。しかしながら、送風機の回転速度が低い場合、送風機から強い空気を吹き出すことができず、温風暖房装置の内部を十分に冷却することができない。したがって、燃焼停止後に実施する送風機の運転において、送風機の回転速度が低い場合、温風暖房装置の内部が相当に昇温されてしまうことがある。
【００１３】
つまり、このように一律に送風機の回転速度を低下させると、燃焼停止時における強い冷風の吹き出しが防止できる反面、温風暖房装置の異常昇温が防止できないという問題があった。これに対して、一律に送風機の回転速度を高くすると、温風暖房装置を冷却でき、異常昇温が防止できる反面、燃焼停止時における強い冷風の吹き出しが防止できないという問題があった。つまり、送風機の回転速度を一律に制御したのでは、燃焼停止時における強い冷風の吹き出しの防止と、温風暖房装置の異常昇温の防止とを併存させることができないという問題があった。
【００１４】
そこで本発明は、従来技術の上記した問題を鑑みてなされたものであって、その目的とするところは、設計上の制限が少なく、最低回転速度が比較的高い送風機を採用可能であって、燃焼停止時における強い冷風の吹き出しの防止と、燃焼停止時における温風暖房装置の異常昇温の防止とがいずれも可能な温風暖房装置の提供を課題とするものである。
【課題を解決するための手段】
【００１５】
上記課題を解決するための請求項１に記載の発明は、燃焼用のバーナが内蔵された燃焼ケースと、送風機と、温度検出手段と、前記温度検出手段が検出した温度によって送風機の運転を制御可能な制御装置とを有し、前記送風機は、前記バーナの燃焼停止後に温度制御運転を実行するものであって、前記温度検出手段は、バーナの燃焼終了時又は燃焼終了時近傍の時刻において燃焼ケース又は燃焼ケース付近の温度を終了時温度として取得し、取得した終了時温度に基づいて温度制御運転における送風機の回転速度を切り替えるものであり、前記温度制御運転には、第２温度制御運転が含まれ、前記第２温度制御運転は、バーナの燃焼停止直後から実行され、前記温度検出手段が所定の間欠運転開始温度を検知したことを条件として実行され、送風機が起動と停止を繰り返し、送風機が起動している際には送風機が低速回転される間欠運転を実施することを特徴とする温風暖房装置である。
【００１６】
本発明の温風暖房装置は、バーナの燃焼終了時又は燃焼終了時近傍の時刻において燃焼ケース又は燃焼ケース付近の温度を温度検出手段が取得し、温度検出手段が取得した温度に基づいて温度制御運転における送風機の回転速度を切り替え、バーナの燃焼停止後に温度制御運転を実行する。このことにより、燃焼終了時又は燃焼終了時近傍の時刻における温風暖房装置の内部の熱量に応じて、送風機からの風量を可変させることができる。そのため、温風暖房装置の内部温度が過度に昇温されにくく、また温風暖房装置の内部温度が過度に降温されにくい。
【００１７】
請求項２に記載の発明は、前記温度制御運転には、第１温度制御運転が含まれ、第１温度制御運転は、バーナの燃焼停止直後から実行され、第１温度制御運転が実行されている期間中に前記温度検出手段が所定の冷却運転開始温度を検知したことを条件として冷却運転が実行され、冷却運転を実行する際の送風機の回転数には少なくとも中速回転と高速回転の二段階があり、前記終了時温度が予め定められた基準温度以上である場合には冷却運転を実行する際の送風機が高速回転され、前記終了時温度が前記基準温度より低い場合には冷却運転を実行する際の送風機が中速回転されることを特徴とする請求項１に記載の温風暖房装置である。
【００１８】
かかる構成によると、第１温度制御運転が実行されている期間中に前記温度検出手段が所定の冷却運転開始温度を検知したことを条件として冷却運転が実行されるため、温風暖房装置の内部温度が相当に高くなってしまった場合であっても、確実に温風暖房装置の内部を冷却できる。加えて、終了時温度が高い場合には冷却運転を実行する際の送風機が高速回転され、前記終了時温度が低い場合には冷却運転を実行する際の送風機が中速回転されるため、温風暖房装置の内部を過度に冷却しすぎることがない。このことより、本発明の温風暖房装置では、燃焼停止時における温風暖房装置の過剰昇温を防止できると共に、燃焼停止時における強い冷風の吹き出しを防止できる。
【００１９】
さらにかかる構成によると、温風暖房装置の内部温度の過度な昇降温を防止できるため、温風暖房装置の内部に十分に熱を維持したまま、バーナの燃焼停止時の送風を実施することができる。換言すると、送風機を運転して空気の循環流を形成するとき、温風暖房装置の内部温度が比較的高い状態で送風機を運転することができる。このことにより、送風機の回転速度が高く、温風暖房装置から空気が強く吹き出されても、吹き出された空気の温度が高くなるため使用者が冷たく感じることがない。つまり、本発明の温風暖房装置では送風機の回転速度を十分に低くしなくても、温風暖房装置からの強い冷風の吹き出しを防止しつつ空気の循環流を形成できる。したがって、本発明の温風暖房装置では、最低回転速度が比較的高い送風機を採用することができる。
【００２０】
請求項３に記載の発明は、第１温度制御運転が実行されている期間中であって、冷却運転が実行されていない場合は、送風機が低速回転される微風運転を実施することを特徴とする請求項２に記載の温風暖房装置である。
【００２１】
かかる構成によると、冷却運転が実行されていない場合においても、より確実に燃焼停止時における温風暖房装置の過剰昇温を防止できると共に、燃焼停止時における強い冷風の吹き出しを防止できる。
【００２２】
本発明では、前記温度制御運転には、第２温度制御運転が含まれ、前記第２温度制御運転は、バーナの燃焼停止直後から実行され、前記温度検出手段が所定の間欠運転開始温度を検知したことを条件として実行され、送風機が起動と停止を繰り返し、送風機が起動している際には送風機が低速回転される間欠運転を実施する。
【００２３】
かかる構成によると、温風暖房装置が内部温度が比較的低い場合においても、より確実に燃焼停止時における温風暖房装置の過剰昇温を防止できると共に、燃焼停止時における強い冷風の吹き出しを防止できる。
【００２４】
請求項４に記載の発明は、室内温度が摂氏２２度の環境で温風暖房機が定常状態となった後に第１温度制御運転が実行された場合、平均吹出し風速１．２ｍ／ｓの状態において、温風暖房装置から排出される送風の温度は常に摂氏２５度以上となることを特徴とする請求項２又は３に記載の温風暖房装置である。
【００２５】
かかる構成によると、燃焼停止中に温風暖房装置から吹き出された空気に起因する使用者が感じる冷たさを確実に防止できる。
【発明の効果】
【００２６】
本発明の温風暖房装置は、複数の送風機や複数の吹き出し口を必ずしも必要としないため、設計上の制限が少ないという効果がある。
また本発明は、温風暖房装置の内部温度に応じた送風機の運転が可能であるので、温風暖房装置の内部温度の過度の昇降温を防止できる。このことにより、燃焼停止時における温風暖房装置の異常昇温の防止と、燃焼停止時における強い冷風の吹き出しの防止とを併存させることができるという効果がある。
さらに本発明は、燃焼停止時に温風暖房装置の残熱を完全に除去しない送風量で送風機の運転が可能であるので、温風暖房装置の内部温度が比較的高い状態で送風を行うことができる。そのため、燃焼停止時に温風暖房装置から空気が強く吹き出されても、吹き出された空気の温度が比較的高く、使用者に冷たさを感じさせることがないという効果がある。このことから、本発明の温風暖房装置は最低回転速度が比較的高い送風機であっても採用できるという効果がある。
【図面の簡単な説明】
【００２７】
【図１】本発明の実施形態にかかる温風暖房装置を示す斜視図である。
【図２】図１の温風暖房装置を別の方向からみた状態を示す斜視図である。
【図３】図１の温風暖房装置から前面を構成する部材を取り外して前方を開放した状態を示す正面図である。
【図４】図１の温風暖房装置の概略側面断面図である。
【図５】図１の温風暖房装置の温度制御運転の手順を示すフローチャートである。
【図６】図１の温風暖房装置の運転時において、時間の経過に伴う燃焼ケース付近の温度変化と、燃焼ケース付近の温度変化に伴う温度制御運転の実行状況の変化とを示すグラフである。
【図７】図６で示す温風暖房装置の運転において、時間の経過とそれに伴う送風機の回転速度の変化を示すグラフである。
【発明を実施するための形態】
【００２８】
以下さらに本発明の実施形態について説明する。なお、以下の説明において、上下、左右、前後の関係は、図１の上下、左右、前後の関係を基準として説明する。
【００２９】
本実施形態の温風暖房装置１は、室内の床上に載置して使用するガスファンヒーターであり、図１乃至３で示されるように、略直方体状の筺体２を備えている。そしてこの筺体２には、燃焼ケース３、送風機４、制御装置５、室温検出用サーミスタ６、内部温度検出用サーミスタ７（温度検出手段）が主用部材として内蔵されている。
【００３０】
筺体２は、図１，２で示されるように、前面側に筺体側排気口１０が設けられており（図１参照）、背面側に筺体側吸気口１１が設けられている（図２参照）。そしてこれらはいずれも筺体２の内部空間と外部とを連通している。
【００３１】
筺体側排気口１０は、図１で示されるように、筺体２の前面下部に設けられており、化粧板１２の下方に位置している。そして筺体側排気口１０は、正面視形状が略長方形状のルーバー１３によって外部から覆われた状態となっている。なお、図示を省略するが、この筺体側排気口１０は、ルーバー１３より左右方向（幅方向）の長さが短く、上下方向（高さ方向）の長さもやや短い略長方形状となっている。そして筺体側排気口１０は、中央部分より左端よりの位置に設けられている（図示せず）。即ち、筺体側排気口１０は筺体２の前方下部において、左端近傍から右端よりやや幅方向中心よりの位置まで延びた開口となっている。
【００３２】
筺体側吸気口１１は、図２で示されるように、略長方形状であって、筺体２の背面の大部分に亘って設けられている。このとき、筺体側吸気口１１は左端よりの位置（図２における右端よりの位置）に設けられており、高さ方向の中心よりやや上方よりの位置に設けられている。また筺体側吸気口１１は、その全面に亘ってフィルター１４で外側から覆われた状態となっている。
【００３３】
燃焼ケース３は、図３で示されるように、筺体２より左右方向（幅方向）の長さが短く、上下方向（高さ方向）及び奥行き方向（前後方向）の長さもやや短い略直方体状の箱体となっている。そして、燃焼ケース３は、筺体２内の左端よりの部分に配されている。
【００３４】
またこの燃焼ケース３には、図４で示されるように、バーナ１７、熱電対１８、点火プラグ１９等によって構成される燃焼用機構が内蔵されている。そして、このバーナ１７には図示しないガス供給路及びガスノズルから燃料ガスを供給可能となっている。
さらに、この燃焼ケース３の下端近傍には送風機４が内蔵されている。即ち、燃焼ケース３の下部はファンケースを構成するものであり、燃焼ケース３はファンケース一体型の燃焼ケースとなっている。
【００３５】
ここで、燃焼ケース３の前面下部には、略長方形状のケース側排気口２２が設けられている。このケース側排気口２２は、燃焼ケース３の前面を貫通しており、燃焼ケース３の内部と外部とを連通している。なお、このケース側排気口２２は、送風機４が内蔵されている部分の前方に形成されており、前記した筺体２の筺体側排気口１０と対向する位置にある。
【００３６】
また燃焼ケース３の背面側には、図４で示されるように、燃焼ケース３の内部に一次空気及び二次空気を供給するためのケース側吸気口２３が設けられており、ケース側吸気口２３を介して燃焼ケース３の内外が連通された状態となっている。また、図示を省略するが、このケース側吸気口２３は略長方形状であって、筺体側吸気口１１と対向する位置にあり、筺体側吸気口１１より開口面積が小さくなっている。
【００３７】
送風機４は、所謂ＤＣファンと称される送風機であって、図３で示されるように、ＤＣファンモータ４ａと、外形略円柱状の羽根車４ｂとを備えており、ＤＣファンモータ４ａの回転に応じて羽根車４ｂが回転することで空気を流動させる構造となっている。このとき、ＤＣファンモータ４ａ及び羽根車４ｂの単位時間当たりの回転数（回転速度）は可変可能となっており、回転速度に比例して吹き出される風量が増減するようになっている。
なお、特に限定されるものではないが、本実施形態の送風機４は、その最低回転速度が２６０ｒｐｍとなっている。
【００３８】
制御装置５は、温風暖房装置１を制御するマイコン（図示せず）を備えた制御基板を有しており、温風暖房装置１の各部の動作を制御可能となっている。
具体的には、制御装置５は、温風暖房装置１の各種温度センサ（サーミスタ）、熱電対１８等からの信号を取得可能であり、バーナ１７の炎の有無や、バーナ１７の燃焼量、筺体２の内部の温度、温風暖房装置１が設置されている部屋の室温等を取得可能となっている。そして、取得した情報に基づいた温風暖房装置１の各部の制御が可能となっている。
さらに制御装置５は、送風機４のＤＣファンモータと接続されており、送風機４のＤＣファンモータ４ａ及び羽根車４ｂの回転速度を可変させることができる。
また制御装置５は、バーナ１７と、バーナ１７に燃料ガスを供給するガス供給路に設けられた電磁弁や比例弁等の各種制御弁（図示せず）と、点火プラグ１９とに接続されている。そのことにより、バーナ１７に対して燃焼開始動作、燃焼停止動作、燃焼量を増減させる動作を行うことができる。
【００３９】
室温検出用サーミスタ６は、図１乃至３で示されるように、筺体側吸気口１１の右端（図２における左端）近傍に設けられている。即ち、燃焼ケース３から離れた位置に設けられ、燃焼ケース３の輻射熱の影響を受けにくい状態となっている。そして、室温検出用サーミスタ６は、温風暖房装置１が設置された室内（空間）の雰囲気温度を取得可能な室温検出手段となっている。
【００４０】
内部温度検出用サーミスタ７は、図１乃至３で示されるように、燃焼ケース３の上面に載置されており、より具体的には、燃焼ケース３の左端よりの部分であって、前後方向の中心よりやや前方に設けられている。そして、内部温度検出用サーミスタ７は燃焼ケース３又はその近傍の温度を取得可能となっている。
【００４１】
次に、本実施形態に示す温風暖房装置１の動作の概要について説明する。
本実施形態の温風暖房装置１は運転スイッチの入力信号によって、載置された室内温度を昇温、維持する暖房運転状態と、バーナ１７及び送風機４が停止した状態で待機する暖房運転停止状態とを切り替えることができる。そして、温風暖房装置１が暖房運転状態にあるとき、バーナ１７で燃料ガスを燃焼し、発生した燃焼ガスと空気とを撹拌して生成される温風を送風機４によって吹き出す運転（以下燃焼運転と称す）を実施することによって、室内を設定された温度まで昇温させることができる。また暖房運転状態において、室内温度が設定された温度に達しているとき、燃焼運転と、バーナ１７での燃料ガスの燃焼を一時的に停止する運転（以下燃焼停止運転と称す）とを交互に実施することにより、室内温度を設定された温度に維持することができる。このことにつき、以下で具体的に説明する。
【００４２】
筺体２に配された操作パネルやリモコン等に設けられた運転スイッチがオンにされ、温風暖房装置１の暖房運転が開始されると、制御装置５はバーナ１７にガスを供給し、点火プラグ１９を動作させ、バーナ１７に炎を形成する。そして制御装置５は、バーナ１７に炎が形成されたことを確認すると、送風機４を作動させて燃焼運転を開始する。
【００４３】
このとき、送風機４が作動することにより、温風暖房装置１の近傍に筺体２内を通過して循環する空気流が形成される。具体的に説明すると、図４で示されるように、筺体吸気口１１から筺体２の内部へと空気が取り込まれ、筺体２内に取り込まれた空気がさらにケース側吸気口２３から燃焼ケース３内へと取り込まれる。そして、燃焼ケース３内へ取り込まれた空気の一部は、一次空気又は二次空気としてバーナ１７の燃焼動作に使用される。また、取り込まれた空気の他の一部は、バーナ１７から発生する燃焼ガスと撹拌されて温風となる。そして温風となった空気が燃焼ケース３の下方へと流動し、ケース側排気口２２から燃焼ケース３の外部へ吹き出され、筺体側排気口１０から筺体２の外部へ吹き出される。
【００４４】
このように本実施形態の温風暖房装置１では、室内の空気を取り込み、加熱して吹き出すことにより室内温度を上昇させることができる。
【００４５】
ここで制御装置５は、温風暖房装置１が暖房運転状態にあるとき、室温検出用サーミスタ６によって室内温度を取得し続けている。即ち、温風暖房装置１が暖房運転している間、制御装置５は一定の時間ごとに（又は常に）室内温度を取得する動作を実施する。
【００４６】
そして制御装置５は、燃焼運転中においては、取得した室内温度と目標室温とを比較し、比較した結果に基づいて送風機の回転速度を可変させる。なお、特に限定されるものではないが、燃焼運転中の送風機４の最低回転速度は５００ｒｐｍとなっている。
【００４７】
また制御装置５は、温風暖房装置１が暖房運転している間、室温検出用サーミスタ６によって取得した室内温度と設定された目標室温とを一定の時間ごとに（又は常に）比較し、比較した結果に基づいて燃焼運転と非燃焼運転のいずれかを実施する。具体的には、例えば、燃焼運転中に取得した室温が目標室温に達した場合、制御装置５は、バーナ１７へのガス供給路に設けられた各種制御弁（図示せず）を閉塞する。このことにより、バーナ１７への燃料ガスの供給を遮断し、バーナ１７での燃焼を停止して、燃焼停止運転に切り替える。そしてまた、燃焼停止運転中に取得した室温が目標室温を既定の温度範囲を超えて下回った場合、バーナ１７へのガス供給路に設けられた各種制御弁（図示せず）を再び開き、バーナ１７を再点火して、燃焼運転に切り替える。
【００４８】
つまり本実施形態の温風暖房装置１は、燃焼運転の間に一時的に非燃焼運転を実施することによって室温の過剰な上昇を防止し、室温を目標室温に維持することができる。
【００４９】
そして、運転スイッチがオフにされ、温風暖房装置１の暖房運転が終了されると、制御装置５は、バーナ１７へのガス供給路に設けられた各種制御弁（図示せず）を閉塞してバーナ１７への燃料ガスの供給を遮断し、バーナ１７での燃焼を停止する。そして、バーナ１７の燃焼を停止した状態で送風機４を既定の回転速度で運転する終了時送風運転を実施した後、バーナ１７及び送風機４を停止させて暖房運転停止状態とする。
【００５０】
ここで本実施形態の温風暖房装置１では、暖房運転中の非燃焼運転を実施している間、筺体２の周囲及び内部に形成される空気流を維持すると共に、燃焼ケース３の異常な昇温や、急激な温度低下を防止するため、温度制御運転を実施する。
本実施形態の特徴的な動作である温度制御運転について、以下で詳細に説明する。
【００５１】
本実施形態の温度制御運転では、冷却運転と、微風運転と、間欠運転のいずれかを実施する。
【００５２】
冷却運転は、燃焼運転中に燃焼ケース３が相当に昇温してしまった場合に実行され、燃焼ケース３及び燃焼ケース３の近傍を冷却する。
具体的には、燃焼終了時の温度が比較的高い場合、送風機４の冷却運転速度Ｖ１を高速回転速度Ｖａとし、そうでない場合、冷却運転速度Ｖ１を高速回転速度Ｖａより低速な中速回転速度Ｖｂとする。そして、燃焼終了後に燃焼ケース３が相当に昇温してしまったとき、送風機４を冷却運転速度Ｖ１で運転する。なお、特に限定されるものではないが、本実施形態では高速回転速度Ｖａは６６０ｒｐｍとし、中速回転速度Ｖｂは４４０ｒｐｍとしている。つまり、高速回転速度Ｖａを燃焼運転中の最低回転速度である５００ｒｐｍより速い速度とし、中速回転速度Ｖｂを運転中の最低回転速度である５００ｒｐｍより遅い速度としている。
【００５３】
微風運転では、冷却運転よりさらに緩やかな空気の循環流を形成する。
具体的には、送風機４の運転速度を中速回転速度Ｖｂより低速な低速回転速度Ｖｃとして運転する。なお、特に限定されるものではないが、本実施形態では低速回転速度Ｖｃは送風機４の最低回転速度である２６０ｒｐｍとなっている。
【００５４】
間欠運転では、微風運転よりさらに緩やかな空気の循環流を形成する。
具体的には、送風機４の運転速度を微風運転と同じく低速回転速度Ｖｃとする。そして、送風機４を断続運転する。つまり、送風機４を第１の既定時間ｔａだけ停止させた後、第２の既定時間ｔｂだけ低速回転速度Ｖｃで運転させる。
また特に限定されるものではないが、本実施形態では、間欠運転の断続運転において、第１の既定時間ｔａを７０秒とし、第２の既定時間ｔｂを２０秒としている。そして、送風機４をｔａだけ（７０秒間）停止した後、ｔｂだけ（２０秒間）動作させ、再びｔａだけ（７０秒間）停止させるという動作を繰り返して断続運転を行っている。なお、断続運転時において第１の既定時間ｔａと第２の既定時間ｔｂは同じでもよく、異なっていてもよい。
【００５５】
より具体的には、本実施形態の温度制御運転では、第１温度制御運転と第２温度制御運転を実施する。
【００５６】
第１温度制御運転は、内部温度検出用サーミスタ７が検知した温度が既定温度Ｔｃ（冷却運転開始温度）に達していることを条件に冷却運転を実行する運転である。
【００５７】
第２温度制御運転は、内部温度検出用サーミスタ７が検知した温度が既定温度Ｔｄ（間欠運転開始温度）に達していることを条件に間欠運転を実行する運転である。
【００５８】
即ち、本実施形態の温度制御運転は、微風運転と、第１温度制御運転と、第２温度制御運転とを実施する運転となっている。
【００５９】
温度制御運転の具体的な手順について、図５を参照しつつ詳細に説明する。
【００６０】
バーナ１７での燃焼を停止して非燃焼運転が開始されると、ステップ１からステップ２へと移行して、制御装置５が内部温度検出用サーミスタ７によって燃焼終了時温度Ｔｘ（終了時温度）を取得する。なお、この燃焼終了時温度Ｔｘは、非燃焼運転の開始時、即ち、バーナ１７の燃焼が停止された時点における燃焼ケース３の表面温度と略等しくなっている。
【００６１】
そして、燃焼終了時温度Ｔｘが取得されると、制御装置５が燃焼終了時温度Ｔｘと予め定められた第１基準温度Ｔａとを比較する（ステップ３）。なお、特に限定されるものではないが、本実施形態では第１基準温度Ｔａは摂氏４６度となっている。
【００６２】
このとき、ステップ３で燃焼終了時温度Ｔｘが第１基準温度Ｔａ以上であれば、ステップ４へ移行して、冷却運転における送風機４の冷却回転速度Ｖ１を高速回転速度Ｖａとする。そして、ステップ５へと移行する。
【００６３】
これ対して、ステップ３で燃焼終了時温度Ｔｘが第１基準温度Ｔａより小さければ、ステップ７へと移行して、冷却運転における送風機４の冷却回転速度Ｖ１を中速回転速度Ｖｂとする。そして、ステップ５へと移行する。
【００６４】
ステップ５へ移行すると、取得した燃焼終了時温度Ｔｘによって、冷却運転、微風運転、間欠運転のいずれかの運転を実行する。ここでステップ５の手順を実行するとき、内部温度検出用サーミスタ７が燃焼ケース３近傍の温度を一定の時間ごとに（又は常に）取得し、取得した温度と予め定められた既定温度を比較する。そして、取得した燃焼ケース３近傍の温度が予め定められた既定温度を上回った場合、又は予め定められた既定温度を下回った場合、実行する運転を切り替える。即ち、ステップ５の手順では、冷却運転、微風運転、間欠運転のいずれかを実行した後、燃焼ケース３近傍の温度変化に伴ってそのまま実行した運転を継続するか、他のいずれかの運転に切り替える。このステップ５の手順につき、図６，７を参照しつつ、具体的に説明する。
【００６５】
例えば、図６の上側のグラフで示されるように、温風暖房装置１の運転が開始された後、時刻ｔ１で燃焼運転が終了し、時刻ｔ１から燃焼停止運転が開始されたとする。そしてこのとき、内部温度検出用サーミスタ７が取得した燃焼終了時温度Ｔｘが摂氏５８度であったとする。
【００６６】
この場合、取得した燃焼終了時温度Ｔｘ（摂氏５８度）が第１基準温度Ｔａ（摂氏４６度）以上であるので、冷却運転が実行されるときの温度が高速回転速度Ｖａに決定される（図５のステップ３、ステップ４参照）ことが決定する。
【００６７】
次に、温度制御運転が開始される。この場合、温度制御運転の開始時の燃焼ケース３（又は燃焼ケース３の近傍）の温度（燃焼終了時温度Ｔｘ）が予め定められた既定温度Ｔｃ（例えば摂氏５２度）より高いため、燃焼ケース３が相当に昇温されていると判断され、まず冷却運転が実行される。つまり、内部温度検出用サーミスタ７が検知した温度が既定温度Ｔｃ（冷却運転開始温度）に達していることを条件に、冷却運転が実行される。
【００６８】
そして、冷却運転を実行し続けると、時間の経過と共に燃焼ケース３付近の温度が下降していく。さらに冷却運転の実行開始後、時刻ｔ２において、燃焼ケース３付近の温度が予め定められた既定温度Ｔｂ（例えば摂氏４２度）となったとする。すると制御装置５は、冷却運転を中止し、微風運転を開始する。
【００６９】
さらにまた、微風運転を実行し続けると、時間の経過と共に燃焼ケース３付近の温度が下降していく。ここで微風運転の実行開始後、時刻ｔ３において、燃焼ケース３付近の温度が予め定められた既定温度Ｔｄ（例えば摂氏３０度）となったとする。すると制御装置５は、微風運転を中止し、間欠運転を開始する。つまり、内部温度検出用サーミスタ７が検知した温度が既定温度Ｔｄ（間欠運転開始温度）に達していることを条件に、間欠運転が実行される。そして、間欠運転を実行し続ける。
【００７０】
このような動作を実施した場合、図７で示されるように、温風暖房装置１の運転開始からｔ１までの間、即ち、温風暖房装置１が燃焼運転を実施している間において、制御装置５は、室内温度に応じて既定の範囲で回転速度を可変させつつ送風機４を運転させている。より詳細には、制御装置５は、室温検出用サーミスタ６が取得した室内温度に応じて、送風機４の回転速度を燃焼運転時における最低回転速度である５００ｒｐｍ以上の速度で可変させつつ運転させている。
【００７１】
そして時刻ｔ１から時刻ｔ２までの間では、制御装置５は、送風機４を高速回転速度Ｖａ（６６０ｒｐｍ）で運転させている。また時刻ｔ２から時刻ｔ３までの間では、制御装置５は、送風機４を低速回転速度Ｖｃ（２６０ｒｐｍ）で運転させている。さらにまた、時刻ｔ３以降の時間では、制御装置５は、送風機４を第１の既定時間ｔａ（７０秒）停止させた後、第２の既定時間ｔｂ（２０秒）だけ低速回転速度Ｖｃで運転させ、再び第１の既定時間ｔａ（７０秒）停止させるという動作を繰り返し、送風機４を間欠運転させていく。
【００７２】
ところで、上述の例では、温度制御運転の開始時に内部温度検出用サーミスタ７が取得した温度（以下開始時温度とする）が摂氏５８度（燃焼終了時温度Ｔｘ）であったため、温度制御運転の開始時において、まず冷却運転を実行した。しかしながら、開始時温度によっては微風運転、又は間欠運転から開始される場合がある。
【００７３】
具体的には、開始時温度が既定温度Ｔｃ（冷却運転開始温度であり、例えば摂氏５２度）以上であるとき、冷却運転を実施する。また、開始時温度が既定温度Ｔｃ（例えば摂氏５２度）より小さく、既定温度Ｔｄ（例えば摂氏３０度）より大きいとき、微風運転を実施する。さらに、開始時温度が既定温度Ｔｄ（間欠運転開始温度であり、例えば摂氏３０度）以下であるとき、間欠運転を実施する。
【００７４】
また、温度制御運転が開始された後、内部温度検出用サーミスタ７が取得した温度に応じて実行される運転が可変する。
【００７５】
具体的には、冷却運転を実施しているとき、燃焼ケース３付近の温度が予め定められた既定温度Ｔｂ（例えば摂氏４２度）以下となった場合、制御装置５は冷却運転を微風運転へ切り替える。
【００７６】
また、微風運転を実施しているとき、燃焼ケース３付近の温度が予め定められた既定温度Ｔｃ（例えば摂氏５２度）以上となった場合、制御装置５は微風運転を冷却運転へ切り替える。そして微風運転を実施しているとき、燃焼ケース３付近の温度が予め定められた既定温度Ｔｄ（例えば摂氏３０度）以下となった場合、制御装置５は微風運転を間欠運転へ切り替える。
【００７７】
さらにまた、間欠運転を実施しているとき、燃焼ケース３付近の温度が予め定められた既定温度Ｔｅ（例えば摂氏４０度）以上となった場合、制御装置５は間欠運転を微風運転へ切り替える。
【００７８】
したがって、本実施形態の温度制御運転では、上述のように冷却運転、微風運転、間欠運転の順に切り替わるだけでなく、３つの運転が他の順序で切り替わる場合がある。例えば、図６における時刻ｔ２から時刻ｔ３までの間において、燃焼ケース３付近の温度が予め定められた既定温度Ｔｃ（例えば摂氏５２度）以上となった場合、再度冷却運転を実施する。このとき、冷却運転、微風運転、冷却運転の順に切り替わる。
【００７９】
つまり、温度制御運転では、冷却運転、微風運転、間欠運転の複数の運転の内、いずれの運転から開始されてもよい。そして、温度制御運転が開始されてから終了するまでの間、冷却運転、微風運転、間欠運転の複数の運転の内、実行する運転を、燃焼ケース３付近の温度の変化に応じて可変させることができる。
【００８０】
ところで、上述の例では、内部温度検出用サーミスタ７が取得した燃焼終了時温度Ｔｘが摂氏５８度であったため、冷却運転を高速回転速度Ｖａで実行した（図５のステップ３、ステップ４参照）。しかし、図５のステップ３，ステップ７で示されるように、取得した燃焼終了時温度Ｔｘが摂氏４４度であるとき、即ち、第１基準温度Ｔａ（摂氏４６度）以下であるとき、冷却運転は中速回転速度Ｖｂで実施される。
【００８１】
ここで本実施形態の冷却運転は、高速回転速度Ｖａと中速回転速度Ｖｂのいずれで実行しても、温風暖房装置１から吹き出された風が使用者に冷たさを感じさせないようになっている。このとき、特に限定されるものではないが、使用者に冷たさを感じさせない冷風の目安として、仮に室内温度が摂氏２２度、吹出し風速１．２ｍ／ｓの条件下においては、吹出し温度が摂氏２５度前後を維持するように冷却運転を行うことが望ましい。
【００８２】
以上でステップ５（図５参照）の具体的な手順についての説明を終了する。
【００８３】
そして、図５で示されるように、バーナ１７が再点火されて非燃焼運転が終了し、温風暖房装置１が再び燃焼運転を実行すると、ステップ５の手順を終了して温度制御運転を終了する（ステップ６）。
【００８４】
上記した実施形態では、温度制御運転は開始時温度で冷却運転、微風運転、間欠運転という複数の運転の内、いずれを実行するかを決定したが、本実施形態の温度制御運転はこれに限るものではない。
例えば、温度制御運転の開始後に必ず微風運転を実施し、そのあと、燃焼ケース３付近の温度の変化に応じて、冷却運転、微風運転、間欠運転の内から実行する運転を可変させてもよい。即ち、温度制御運転を開始するとき、一時的にいずれかの運転を実施してから開始してもよい。
【００８５】
上記した実施形態では、冷却運転、微風運転、間欠運転の３つの運転を実行したが本発明はこれに限るものではない。開始時温度が低く温度制御運転が微風運転から開始され、そのまま燃焼ケース３付近の温度が過度に上昇しなかった場合は、冷却運転を実行しない。即ち、本発明の温度制御運転では、複数の運転の全てを必ずしも実行するものでなく、複数の運転から少なくとも１つの運転を選択して実行する。
【００８６】
また上記した実施形態では、第１温度制御運転と第２温度制御運転の２つの運転をいずれも実施する例を示したが、本発明の温度制御運転はこれに限るものではない。第１温度制御運転と、第２温度制御運転のいずれか一方を実行する構成であっても構わない（参考例）。
【００８７】
さらにまた上記した実施形態では、室内の床上に載置して使用する、所謂床設置型のガスファンヒーターに本発明を適用した例を示したが、本発明の温風暖房装置はこれに限るものではない。本発明を適用する温風暖房装置は床設置型に限らず、所謂ＦＦ式と呼ばれる旧排気筒等が壁に固定される形式の温風暖房装置に本発明を適用してもよい。そしてまた、ガスのような気体燃料を燃焼するものに限らず、石油等の液体燃料を燃焼して温風を発生する温風暖房装置に本発明を適用してもよい。
【符号の説明】
【００８８】
１  温風暖房装置
３  燃焼ケース
４  送風機
５  制御装置
６  室温検出用サーミスタ
７  内部温度検出用サーミスタ（温度検出手段）
１７  バーナ
Ｔｘ  燃料終了時温度（終了時温度）
【図１】
0005831735.tif 000002
【図２】
0005831735.tif 000003
【図３】
0005831735.tif 000004
【図４】
0005831735.tif 000005
【図５】
0005831735.tif 000006
【図６】
0005831735.tif 000007
【図７】
0005831735.tif 000008